(57)【特許請求の範囲】
【請求項１】
縁の有るフロント部を有する矯正眼鏡のフロント部とほぼ同じ大きさの形をした撥ね上げ式フロント対置部材Ａは、フロントリム左部材とフロントリム右部材がバネ材部品でつながれ、撥ね上げを目的とした連結をするための蝶番と、加工レンズを枠入れするためのネジ式固定部品から成り、矯正眼鏡のフロント外側の対応位置に引っ掛け、掛け止めするための眼鏡引っ掛け固定左部材Ｂは、上記の撥ね上げ式フロント対置部材Ａのフロントリム左部材とほぼ同じ外縁の一部を同形とした周縁部分に、撥ね上げを目的とした連結をするための蝶番と、上記の引っ掛けるためのフック部品から成り、固定左部材Ｂと同一と成る眼鏡引っ掛け固定右部材Ｃとの三つが蝶番同士をネジ部品で撥ね上げ可能な状態にネジ止めする事で構成されている撥ね上げ式フック引っ掛け型前掛け眼鏡。
【請求項２】
撥ね上げ式フロント対置部材Ａは、フロントリム左部材とフロントリム右部材とをつなぐブリッジ部分をバネ材部品を使って二重バネ式ブリッジ部分とする事で、撥ね上げ式フロント部材片方を撥ね上げた時もう片方のフロント部材も同じ様に正確に動作する事と、二重バネ式のため、矯正眼鏡にしっかりと眼鏡引っ掛け固定部材ＢとＣが装着できる事が可能である事を特徴とする、請求項１記載の撥ね上げ式フック引っ掛け型前掛け眼鏡。
【請求項３】
左右独立した眼鏡引っ掛け固定部材ＢとＣとの周縁部分は蝶番の箇所から始まり、斜め端下にロウ付されたフック部品の箇所で終わり、蝶番の箇所は蝶番の所から鼻側方向にほぼ１ｃｍ程周縁部分を残し、フロント対置部材を撥ね上げた時フロント対置部材に接触する形にする事で撥ね上げた時、適度な角度で止まる事が可能である事を特徴とする、請求項１記載の撥ね上げ式フック引っ掛け型前掛け眼鏡。
【請求項４】
左右独立した眼鏡引っ掛け固定部材ＢとＣとの周縁部分は蝶番の箇所から始まり、斜め端下にロウ付されたフック部品の箇所で終わり、斜め端下にロウ付されたフック部品の箇所は、フック部品の所からほぼ１ｃｍ程周縁部分がありその箇所とフック部品に保護チューブを被せる事で、矯正眼鏡ならびにレンズへのキズを防ぐ事が可能である事を特徴とする、請求項１記載の撥ね上げ式フック引っ掛け型前掛け眼鏡。
【発明の詳細な説明】
【０００１】
【発明の属する技術分野】
本発明は、従来から有る撥ね上げ式前掛け眼鏡の全面的改良に関するものである。
【０００２】
【従来の技術】
従来の撥ね上げ式前掛け眼鏡は、レンズやブリッジに挟み込んだり或いは、撥ね上げ式眼鏡に矯正眼鏡の鼻側の左右フロント部分とそれにかかるブリッジ部分の形状をした取り付け溝を設けたクリップ部材を、取り付けたタイプの撥ね上げ式前掛け眼鏡であった（例えば、特開平１０−３０６１）。
【０００３】
レンズに挟み込む撥ね上げ式前掛け眼鏡ではある程度しっかり固定できるが、挟み込む部品で、レンズにキズを発生させるものであった。
【０００４】
また、ブリッジに挟み込む撥ね上げ式前掛け眼鏡ではある程度、間隔のある２本のブリッジ式の矯正眼鏡では挟み込めるが、１本のブリッジ式矯正眼鏡では挟み込みが不安定になり、不可能であった。
【０００５】
矯正眼鏡の鼻側の左右フロント部分とそれにかかるブリッジ部分の形状をした取り付け溝を設けられたクリップ部材を取り付けたタイプの撥ね上げ式前掛け眼鏡だと、クリップ部材が取り付けのための溝を設けた特殊部品を必要とする上、矯正眼鏡のフロント部分が１本のブリッジ式のメタルタイプに限られていた。
【０００６】
そのため、プラスチック素材やメタル素材の縁の有るフロント部を有する矯正眼鏡にレンズにキズを入れる事なく、しっかり固定できる撥ね上げ式前掛け眼鏡は今までは無かった。
【０００７】
【発明が解決しようとする課題】
強度の屈折性異常の矯正眼鏡を必要とされる方々には日々不便な経験を強いられていた。オゾン層などの問題などで晴天の日の強い紫外線や強い可視光線などから眩しさを防いで目を守ろうとする時、矯正サングラス眼鏡（度付きサングラス）を掛けなければならなく色の濃さによっては、急にトンネルや暗い所に入ると矯正サングラス眼鏡をすぐに外す事が出来ず、事故の原因になりかねないこわい経験をする事があった。
【０００８】
晴天の外出先から薄暗い室内に入った時などは、いちいち無色か薄い色の矯正眼鏡に掛け替えなければならなかった。
【０００９】
また、高齢化社会が進む中、強度の屈折性異常の矯正眼鏡を必要とされる方々の中には遠方を見るための矯正眼鏡以外に、近用作業や書面を見たりするための老眼鏡をも必要とされる方々が増えている。
【００１０】
そのような方々の中には、遠近両用矯正眼鏡はどうしても使い辛くて掛けこなせない方や、度数範囲の問題で製作出来ない方がおられる。
【００１１】
そのような方々が仕事場で近業作業をしている時、遠くをすぐに見なければいけない時やすぐに立って移動する時など、老眼鏡から遠方を見るための矯正眼鏡にいちいち掛け替えなければならなかった。
【００１２】
本発明の目的は、縁の有るフロント部を有する矯正眼鏡を掛けている方であれば上記の方以外でも、今掛けているメガネで掛け替える事なく撥ね上げ式前掛けの上げ下げで、瞬時に２つの目的を持った矯正眼鏡を提供する事が出来る。
【００１３】
【課題を解決するための手段】
本発明者が上記技術的課題を解決するために採用した手段を添付図面を参照して説明すれば次のとおりである。即ち、本発明は、縁の有るフロント部を有する矯正眼鏡のフロント部とほぼ同じ大きさの形をした撥ね上げ式フロント対置部材Ａは、フロントリム左部材とフロントリム右部材がバネ材部品でつながれ、撥ね上げを目的とした連結をするための蝶番と、加工レンズを枠入れするためのネジ式固定部品から成り、矯正眼鏡のフロント外側の対応位置に引っ掛け、掛け止めするための眼鏡引っ掛け固定左部材Ｂは、上記の撥ね上げ式フロント対置部材Ａのフロントリム左部材とほぼ同じ外縁の一部を同形とした周縁部分に、撥ね上げを目的とした連結をするための蝶番と、上記の引っ掛けるためのフック部品から成り、固定左部材Ｂと同一と成る眼鏡引っ掛け固定右部材Ｃとの三つが蝶番同士をネジ部品で撥ね上げ可能な状態にネジ止めする事で構成されている、撥ね上げ式フック引っ掛け型前掛けクリップ手段を採用する事によって上記課題を解決した点に特徴がある。
【００１４】
【発明の実施の形態】
以下、本発明を添付図面に示す実施形態に基いて更に詳しく説明する。なお図１は縁の有るフロント部を有する矯正眼鏡（以下矯正眼鏡）に引っ掛けて使用する本発明の実施形態である撥ね上げ式フック引っ掛け型前掛け眼鏡（以下前掛け眼鏡）の分解斜視図、図２は前掛け眼鏡の分解背面図、図３はフロント対置部材Ａの二重バネ式ブリッジ部分の拡大正面図、図４は眼鏡引っ掛け固定左部材Ｂ（以下固定左部材Ｂ）の斜視図、図５は前掛け眼鏡のフロント対置部材Ａを下げた状態を示す正面図、図６は前掛け眼鏡のフロント対置部材Ａを撥ね上げた状態を示す正面図、図７は矯正眼鏡に前掛け眼鏡を掛け止め状態でのフロント対置部材Ａを撥ね上げた状態と下げた状態を示す斜視図である。
【００１５】
まず、本発明の実施形態である前掛け眼鏡を図１〜図４に基いて説明する。図１中、符号ＡとＢとＣとで指示するものはそれぞれ独立はしてはいるが、図１で示すようにＡの背面より、Ａのフロント左側にはＢが、フロント右側にはＣが、蝶番４どうし破線矢印の方向から組み込み、ネジ部品７で撥ね上げ可能な状態にして止める。よって撥ね上げ機能を持つ前掛け眼鏡が構成される。
【００１６】
この前掛け眼鏡は、加工レンズを枠入れする事が出来る。フロント左側とフロント右側それぞれ耳側両端にネジ式固定部品５が取り付けてあり、ネジ部品７を破線矢印の方向からねじ込んである。ネジ部品を緩める事で左右フロント部材は少し大きくなり、左右フロント部材と同じ大きさに加工したサングラスレンズや老眼用レンズをはめ込む事が出来、ネジ部品７を締める事で左右の加工レンズを保持する事が出来る。
【００１７】
この前掛け眼鏡を矯正眼鏡に、固定左部材Ｂから掛け止めする場合図１で示すように、まず矯正眼鏡フロント左耳側に破線矢印で示すように固定左部材Ｂに斜め端上下２ヶ所にロウ付されたフック部品７を引っ掛け、矯正眼鏡に沿って右側方向に引っ張り、矯正眼鏡フロント右耳側に破線矢印で示すように固定右部材Ｃに斜め端上下２ヶ所にロウ付されたフック部品７を引っ掛ける事で前掛け眼鏡を矯正眼鏡に掛け止めする事が出来る。
【００１８】
図２では、前掛け眼鏡を背面分解図に基いて説明する。図中、符号Ａで指示するものは、上記前掛けフレームにネジ式固定部品５のネジ部品７の緩めと締め込みで左右の加工レンズを対称的に保持させる一対のフロントリムである。これらのフロントリム左１・右１′は、金属製の素材にてやや楕円状に作製してあるが、矯正眼鏡のフロントデザインによってはこの限りではない。作製された左１・右１′のフロントリムは、リム材の端と端とを耳側の位置でタルチと呼ばれるネジ式固定部品５でロウ付けされる事によってつながれている。タルチは元は、１つの部品であるが、図２で示すようにロウ付けされた後金属ノコギリで切断され、図で示すようにタルチ部品の下半分の中は筒状で上半分の中はネジ部を設けた筒状になっている。下からネジ部品７でネジ止めする事でネジ式固定部品５に成る。図１の中での説明のように、加工レンズを前掛け眼鏡にネジ式固定部品５で保持する事が出来る。なお、矯正眼鏡のデザインによってはタルチのネジ部を設けた部分を下半分の位置でロウ付けし上からネジ部品７でネジ止めする事もある。
【００１９】
図２で示す、符号Ａのフロントリム左１に符号Ｂを、フロントリム右１′に符号Ｃを連結させるために蝶番４をフロントリムのほぼ真上の箇所にロウ付けしてある。図中、フロントリム左１とフロントリム右１′の蝶番の形が違うのは、符号Ａ，Ｂ，Ｃを蝶番で連結させた時、ネジ部品７でネジ止めする向きが耳側、すなわち外側よりネジ入れするための向きによる形態を背面図で現している。上記での説明のように、前掛け眼鏡を矯正眼鏡へ、掛け止めの脱着を担う部材が図２で示す符号ＢとＣで、形態を背面図で現している。符合Ｂの側面図は鼻側から、符号Ｃの側面図は耳側より形態を現している。
【００２０】
そして、符合Ａすなわちフロント対置部材の左右の引っ張りからの復元力によって、掛け止めの脱着を担う部分がフロントリム左１と右１′とをバネ材部品でロウ付けされたバネ式ブリッジ部分である。バネ材の材質は図２で示すような、ブリッジ形状に左右から引っ張られても復元する力があれば、問わない。でも、ここでは、ロウ付け加工が出来るステンレスの渡りと呼ばれるステンレスのバネ材を使う。一重バネ式ブリッジ部分でも良いのだが、あえてここでは二重バネ式ブリッジにした理由は片方のフロントリムを片手で撥ね上げた時、もう片方を同じように正確に動作させるためと、二重バネ式ブリッジ部分の強い復元力によって符号Ａの蝶番４で連結された、固定部材符号ＢとＣに矯正眼鏡への掛け止めする力を一重よりも多く伝えるためである。
【００２１】
フロント対置部材Ａの二重バネ式ブリッジ部分取り付け形状を図３において詳しく説明する。図で示すようにフロントリム左１のほぼ真上の箇所に蝶番４がロウ付けされているが、そのすぐ側の鼻側にバネ材部品２がほぼ１ｃｍ程ロウ付けされて、少し上向きに曲げた後、フロントリム右１′に向って湾曲させていき、フロントリム右１′のほぼ真上の箇所にロウ付けされた蝶番４のすぐ側の鼻側ほぼ１ｃｍ程の箇所に沿うように曲げロウ付け加工によってバネ材部品２が形成されている。
【００２２】
なお、バネ材部品の長さの決め方はフロントリム左１に固定部材Ｂを連結させ、フロントリム右１′にも固定部材Ｃを連結させる。各々矯正眼鏡に粘着テープ等で仮掛け止めし、フロントリム左のロウ付け部分の端からフロントリム右のロウ付け部分の端までの左右ロウ付け部分の長さに復元力を求めるための湾曲させた形の長さを足したものがバネ材部品２の長さになる。バネ材部品２の復元力を助ける役目をする、バネ材部品３は、フロントリム左１とフロントリム右１′を左右に引っ張った時にバネ材部品２の復元力の妨げにならず、そして、上記にも書いた正確な撥ね上げ動作のため、バネ材部品２とバネ材部品３でフロントリム左１とフロントリム右１′に合計４ヶ所のロウ付けをするために、図で示す形になった。バネ材部品３はバネ材部品２とはロウ付けや接着剤などで接着されていない。復元力を持たすために、バネ材部品２と同じ形でバネ材部品３も湾曲させて重なり合ってブリッジ部分を形成する。
【００２３】
しかし、バネ材部品３は、フロントリムに近づくにしたがって図３で示すように、バネ材部品２のロウ付け箇所とは反対方向に、弧を描いてフロントリム左右にロウ付けされている。フロントリムにバネ材部品２とバネ材部品３のロウ付け形態は、左右とも筆記体大文字のＡに似ている。バネ材部品３の長さは、バネ材部品２とほぼ同じ長さの物を使い、上記説明の通り加工ロウ付けの後余分な部分は切断する事で、図３のブリッジ形態になる。上記に示す以外でも眼鏡固定部材と独立したフロント対置部材のブリッジ部分の加工にバネ材部品を使用する事はすべて「特許請求の範囲」に含まれる。
【００２４】
左右独立した固定部材ＢとＣとは対で構造は同じなので固定部材Ｂを図４において、説明する。符号Ｂは金属製の素材にて、上記に示す符号Ａのフロント部材とほぼ同じ外縁の一部を同形とした周縁部分で蝶番４の箇所から始まり、斜め端下にロウ付されたＵ字型フック部品６の箇所で終わる。なぜ固定部材をこのような形にしたかと言うと、当初は、前掛けフレームと同じフロント形状の固定部材とし二重式にしてみた。しかし、少しでも重量を軽くしたかったのと、矯正眼鏡に掛け止した時、掛け止めの状態によっては、前掛けフレームとずれて内側の固定部材が見えて不具合だったのでこの形状を採用した。
【００２５】
周縁部分耳側斜め端上下方向には、掛け止めするためのＵ字型フック６がロウ付けされており、矯正眼鏡への掛け止めの役目をする。フック部品６がＬ字型でなくＵ字型なのは、Ｌ字型だと矯正眼鏡のデザインによっては、撥ね上げた時は良くても、下げた時に矯正眼鏡に掛け止めした符号ＢとＣがはずれたためである。Ｕ字型にする事で微調整によって、矯正眼鏡のフレームにしっかり掛け止めされ、撥ね上げた時も下げた時も符号ＢとＣがはずれる事はなかった。それが部分線Ｆで示したものである。斜め端下にロウ付されたＵ字型フック部品６の箇所は、フック部品６の箇所から部分線Ｅの箇所が示すようにほぼ１ｃｍ程の所で終わっている。それは、斜め端下にロウ付されたＵ字型フック部品６の箇所ですぐに終わると、その角の部分で矯正眼鏡のフロント部分やレンズにキズを発生する恐れがあるためである。よって、図４に示してある符号Ｂの部分線ＥとＦの箇所に保護チューブを被せる事で矯正眼鏡ならびにレンズへのキズを防ぐ事が出来る。
【００２６】
そして周縁部分ほぼ真上の箇所にロウ付けされた蝶番から鼻側方向にほぼ１ｃｍ程周縁部分を残し、図４の構造にしたのは、フロント対置部材を撥ね上げた時フロント対置部材に接触する形にする事で撥ね上げた時適度な角度で止まる事が可能である構造を簡単にしたからである。それが、図４に示してある符号Ｂの部分線Ｇの箇所である。この図では、周縁部分の内側を前掛けフレームのある方向にほぼ９０°程ねじってさらにほぼ９０°程上に曲げて、撥ね上げたフロント対置部材に接触する形を採用している。よって、上記に示す以外でも撥ね上げたフロント対置部材を適度な角度で止める目的を持って眼鏡固定部材への加工はすべて「特許請求の範囲」に含まれる。
【００２７】
図５での前掛け眼鏡のフロント対置部材Ａを下げた状態の正面図が示すように、符号ＢもＣも周縁部分のほぼ真上の箇所には蝶番４がロウ付けされてあり、符号Ａも左右フロントリムのほぼ真上の箇所に蝶番４がロウ付けされてあり、蝶番同士、正面図から見て左フロントには符号Ｃが右フロントには符号Ｂがネジ部品７で撥ね上げ可能な状態でネジ止めされた時、符号ＢとＣは符号Ａにほぼ重なり合って連結される。
【００２８】
そして、前掛け眼鏡のフロント対置部材Ａを上記に示す適度な撥ね上げ角度で止まる状態の正面図を図６にて示す。
【００２９】
図７では、矯正眼鏡に掛け止めされた前掛け眼鏡がフロント対置部材Ａを撥ね上げた時や下げた時に正確に動作する事を示した斜め上からの形態図だが、矯正眼鏡のデザインや材質、レンズの種類や用途によっては、フロント対置部材と固定部材や蝶番、それにブリッジ部品とフック部品の形状を変えたり、フロント対置部材と固定部材とは違う材質で作ったり、蝶番・ブリッジ部品・フック部品も含め、その表面に装飾模様を施したりしてデザイン性の向上を図る事も可能であり、これら何れの変更態様も本発明の技術的範囲に属する事は言うまでもない。
【００３０】
【発明の効果】
以上実施形態を挙げて説明したとおり本発明にあっては、縁の有るフロント部を有する矯正眼鏡であればほとんどのフロント側に掛け止めする事が可能である。復元力の有るブリッジ部分を持つ前掛けフレームと矯正眼鏡に掛け止めする固定部を前掛けフレームより左右独立させ、それらを撥ね上げ可能な蝶番で連結させる。よって撥ね上げた状態でも下げた状態でも今までのクリップ式サングラスのように、簡易迅速に装着できて、装着後も撥ね上げフロント部分を上げたり下げたりする事で瞬時に２種類の矯正眼鏡を掛ける事が出来る。よって強度の屈折性異常の眼鏡を使用している方々やその他眼鏡を使用している方々にとっては、実用価値は頗る大である。
【図面の簡単な説明】
【図１】本発明の実施形態である撥ね上げ式フック引っ掛け型前掛け眼鏡の分解斜視図である。
【図２】実施形態前掛け眼鏡の分解背面図である。
【図３】フロント対置部材Ａの二重バネ式ブリッジ部分の拡大正面図である。
【図４】眼鏡引っ掛け固定左部材Ｂの斜視図である。
【図５】実施形態前掛け眼鏡のフロント対置部材Ａを下げた状態を示す正面図である。
【図６】実施形態前掛け眼鏡のフロント対置部材Ａを撥ね上げた状態を示す正面図である。
【図７】矯正眼鏡に前掛け眼鏡を掛け止め状態でのフロント対置部材Ａを撥ね上げた状態と下げた状態を示す斜視図である。
【符号の説明】
Ａ  フロント対置部材
Ｂ  眼鏡引っ掛け固定左部材
Ｃ  眼鏡引っ掛け固定右部材
１  フロントリム左部材
１′フロントリム右部材
２  バネ材部品
３  バネ材部品
４  蝶番
５  ネジ式固定部品
６  Ｕ字型フック部品
７  ネジ部品
【図１】
0003610039.tif 000002
【図２】
0003610039.tif 000003
【図３】
0003610039.tif 000004
【図４】
0003610039.tif 000005
【図５】
0003610039.tif 000006
【図６】
0003610039.tif 000007
【図７】
0003610039.tif 000008